(57)【要約】【課題】左右の枠体に係止バネが当接されても、その反発力による不具合の発生を防止できる遮音パネルを提供する。【解決手段】左右枠材１が遮音板取付部１２と支柱嵌挿部１１とを備え、支柱嵌挿部１１の少なくとも係止バネ５が当接する部位と支柱２０のフランジ２０１との間に支持部４が設けられることで、支持部４により係止バネ５の反発力が支承されることで、係止バネ５の反発力による支柱嵌挿部１１の変形が抑止され、遮音パネルのがたつきや係止バネ５の脱落を防止できる。【選択図】図３
2004285720.tif 000002
【特許請求の範囲】
【請求項１】
遮音板の左右に枠体が取り付けられると共に上下のいずれかに枠体が取り付けられて形成され、左右の枠体を断面Ｈ型の支柱のフランジ間に挿入し、前記左右の枠体と支柱のフランジとの隙間に係止バネが嵌着されて支柱に固定される遮音パネルであって、前記左右の枠体は遮音板が取り付けられる遮音板取付部と、支柱のフランジ間に挿入される支柱嵌挿部とが備えられ、該支柱嵌挿部には遮音パネルが支柱に取り付けられた際に係止バネの反発力を支承する支持部が、少なくとも支柱嵌挿部に係止バネが当接する部位に設けられていることを特徴とする遮音パネル。
【請求項２】
支持部は、左右の枠体に刻設された取付溝に、支持部形成部材が上下方向に摺動可能に取り付けられていることを特徴とする請求項１に記載の遮音パネル。
【請求項３】
支持部は、上下のいずれかの枠体に刻設された押縁取付溝を用いて支持部形成部材が取り付けられたものであることを特徴とする請求項１に記載の遮音パネル。
【請求項４】
支柱嵌挿部は、断面略コ字状の形状となされ、遮音板取付部と反対側に位置する一方が開放されて開口部が形成され、支持部は該開口部の形状を保持するように且つ開口部と同じ側が開放されて設けられていることを特徴とする請求項１〜３のいずれかに記載の遮音パネル。
【請求項５】
左右の枠材は、ビス取付部が一体に設けられ、上下いずれか少なくとも一方の枠体と突き合わせによる取り付けが可能となされたことを特徴とする請求項１〜４のいずれかに記載の遮音パネル。
【発明の詳細な説明】
【０００１】
【発明の属する技術分野】
本発明は、騒音防止のため道路や鉄道等の交通路の側縁に設置され、遮音板の周縁に枠体が形成された遮音パネルに関するものである。
【０００２】
【従来の技術】
従来、遮音板の周囲に枠体を取着することで形成された遮音パネルについては種々の発明がなされてきており、かかる遮音パネルは、とりわけ遮音板に透光板を用い、周囲の眺望や採光を確保できるものが数多く用いられてきている。遮音パネルは道路側縁に設置されるものであり、とりわけ高架道路などにおいて車両の衝突により遮音パネルが支柱から脱落した場合に、遮音パネルが飛散、落下して二次災害が起こるのを防止するために、遮音パネルと支柱や擁壁とを落下防止用の索条で繋ぎ、万一支柱から遮音パネルが脱落しても落下防止用の索条により飛散や落下が防止されるようになされている。
【０００３】
かかる落下防止用の索条は、一般に遮音パネルの設置後に遮音パネルの左右枠の中空部や左右枠に取り付けられたアイボルトなどに挿通されて取り付けが行われるが、防音壁の設置状況によっては、例えばＨ型鋼の支柱のフランジ間に遮音パネルの一端を挿入して取り付ける場合には支柱のフランジやウエーブと遮音パネルとの間にほとんど空間がないことがあり、かかる状況を鑑みて、前記左右枠の中空部を支柱側に開放し、落下防止用の索条の取り付けが容易となされた例が開示されている。
【０００４】
例えば特許文献１の図７において、支柱側が開放されたフレーム本体の上下両端に、ワイヤ収容空間部を閉じるように、ワイヤを挿通させるワイヤ貫通孔を備えたＬ字型のワイヤガイドが固着された透光防音パネルが開示されている。
【０００５】
また特許文献２の図１において、外側面が凹面となされて支柱側が開放された縦枠材にワイヤー挿通部が設けられ、横枠材の両端部に落下防止ワイヤーが挿通される切欠が設けられた透光性防音板が開示されている。
【０００６】
【特許文献１】
特開平８−３９４１号公報
【０００７】
【特許文献２】
特開平８−２０９６３４号公報
【０００８】
【発明が解決しようとする課題】
しかしながら、特許文献１及び特許文献２共に、左右の枠体を断面Ｈ型の支柱のフランジ間に挿入し、前記左右の枠体と支柱のフランジとの隙間に係止バネを嵌着して支柱に固定される場合には、ボックス形状となされ比較的強度の高い上下のフレーム又は横枠材に係止バネが当接されることを想定しており、左右の枠体には係止バネの反発力による変形等の不具合を防止する対策は特に施されていない。
【０００９】
防音壁の設置においては、断面Ｈ型の支柱のフランジ間が広く、遮音パネルと支柱のフランジとの間が広くなるために大型の係止バネを嵌着する場合があるが、そのような係止バネは抜け防止のために上下のフレーム又は横枠材より下方の左右の枠体に当接する程に深く嵌着される場合がある。係止バネの反発力に対抗する対策が特に施されていない左右の枠体に係止バネが当接されると、変形等が起こり係止バネによる係止力が低下し、遮音パネルのがたつきや係止バネの脱落が起こる恐れがある。
【００１０】
本発明は上記の如き問題点に鑑みてなされたものであり、左右の枠体に係止バネが当接されても、その反発力による不具合の発生を防止できる遮音パネルを提供せんとするものである。
【００１１】
【課題を解決するための手段】
上記課題を解決するため、本発明は以下のような構成としている。すなわち、本発明に係わる遮音パネルは、遮音板の左右及び上下のいずれかに枠体が取り付けられて形成され、左右の枠体を断面Ｈ型の支柱のフランジ間に挿入し、前記左右の枠体と支柱のフランジとの隙間に係止バネが嵌着されて支柱に固定される遮音パネルであって、前記左右の枠体は遮音板が取り付けられる遮音板取付部と、支柱のフランジ間に挿入される支柱嵌挿部とが備えられ、該支柱嵌挿部には遮音パネルが支柱に取り付けられた際に係止バネの反発力を支承する支持部が、少なくとも支柱嵌挿部に係止バネが当接する部位に設けられていることを特徴とするものである。
【００１２】
本発明によれば、左右の枠材が遮音板取付部と支柱嵌挿部とを備え、支柱嵌挿部の係止バネが当接する部位に支持部が設けられることで、支持部により係止バネの反発力が支承されることで、係止バネの反発力による支柱嵌挿部の変形が抑止され、遮音パネルのがたつきや係止バネの脱落を防止できる。
【００１３】
また前記支持部は、左右の枠体に刻設された取付溝に、上下方向に摺動可能に支持部形成部材が取り付けられていれば、係止バネが左右の枠材に当接される位置に応じて支持部の上下方向の位置を調節でき好ましい。
【００１４】
更にまた前記支持部は、上下のいずれかの枠体に刻設された押縁取付溝を用いて支持部形成部材が取り付けられたものであれば、遮音板の固定に係わる押縁取付溝が支持部の固定を兼ねることができ、支持部の固定に係わる構造が簡潔なものとなり好ましい。
【００１５】
また前記支柱嵌挿部は、断面略コ字状の形状となされ、遮音板取付部と反対側に位置する一方が開放されて開口部が形成され、支持部は該開口部の形状を保持するように且つ開口部と同じ側が開放されて設けられていれば、支持部を設けることによる落下防止用の索条の挿通における煩雑さを小さくでき好ましい。
【００１６】
また前記左右の枠材は、ビス取付部が一体に設けられ、上下いずれか少なくとも一方の枠体と突き合わせによる取り付けが可能となされていれば、左右の枠材の上下端面を斜めとすることで勾配に対応でき、勾配のある箇所に設置される遮音パネルの形成が容易なものとなり好ましい。
【００１７】
【発明の実施の形態】
本発明の実施の形態について、図面に基づき以下に具体的に説明する。
図１及び図２は、本発明に係わる実施の一形態を示す説明図である。まず図１において、遮音板３に左右枠体１及び上下枠体２が組み付けられて、遮音板の周囲に枠体が取り付けられた遮音パネルが形成される。左右枠体１及び上下枠体２にはそれぞれ枠体の長さ方向に沿って遮音板３の端部が挿入可能とされた開口溝Ｍが設けられ、この開口溝Ｍに遮音板３の端部が挿入された状態で周囲の枠体が取り付けられることで、遮音板３が左右枠体１及び上下枠体２と一体となされる。
【００１８】
ロ）は左右枠体１と上下枠体２の取付部分の詳細を示す説明図である。左右枠体１は遮音板３が挿入可能となされた開口溝Ｍを有する遮音板取付部１２と、防音壁を形成するのに支柱に嵌挿される支柱嵌挿部１１とが一体に備えられたものである。また遮音板取付部１２にはビス取付部１３が一体に設けられている。上下枠体２はボックス形状となされ、端部の支柱嵌挿部１１に相対峙する部位に上下方向に通じる切欠２１が設けられ、更に遮音板取付部１２と相対峙する面にビス孔２２が、ビス孔２２が穿設された面の外側の面には工具孔２３が穿設されている。左右枠体１と上下枠体２とが、ビス取付部１３及びビス孔２２の位置が一致するように突き合わされ、ビス孔２２に挿通されたビスＢが工具孔２３から差し入れられた工具によりビス取付部１３に螺着されることで左右枠体１と上下枠体２とは強固に固定される。
【００１９】
かかる方法で左右枠体１及び上下枠体２を固定することで、上述の勾配に対する対応が容易になる効果に加え、左右枠体１に一体に形成されたビス取付部１３にビスＢを螺着でき、固定は強固なものとなる。またビス孔２２がボックス形状となされた上下枠体２の一つの面に穿設されていることでビスＢの固定もその面になされ、従来の方法の如く左右枠体の一部を突設されてその突設させた部位にリベット等により締結する方法と較べ、ビスやリベット等が締結された部位に疲労が発生する度合いを小さくできる。
【００２０】
図２は、上記の如き構成の遮音パネルの、支柱への取り付けを示す説明図である。立設された２本の支柱２０はＨ型鋼により形成されており、フランジ２０１間に遮音パネル１０が取り付けられるが、イ）に示す如く、遮音パネル１０と共に係止バネ５が挿入され、遮音パネル１０とフランジとの間の隙間に係止バネ５が嵌着されることで、遮音パネル１０は係止バネ５の反発力によりロ）に示す如く支柱２０に圧接されがたつき等なく固定される。
【００２１】
ここで、支柱２０のフランジ２０１間に挿入される遮音パネル１の支柱嵌挿部１１に、少なくとも係止バネ５が当接される部位に予め支持部４を設けておくことで、支柱嵌挿部１１が係止バネの反発力により変形の恐れがある構造となされていても、その反発力を支持部４が支承し支柱嵌挿部１１の変形等による不具合の発生を防止することができる。
【００２２】
図３は、図２のＡ−Ａ断面における支持部の、実施の一形態を示す断面図である。左右枠体１の断面コ字状となされ、遮音板取付部１２と反対側に位置する一方が開放された開口部を有する支柱嵌挿部１１に、係止バネ５と当接する部位に支持部形成部材４Ａが取り付けられている。支持部形成部材４Ａは支柱嵌挿部１１の開口部１１１と同じ側が開放された断面く字状の形状となされて落下防止用の索条が挿通できる空間部４Ａ２が形成され、く字状の中間部は遮音板取付部１２と当接され更に補強材４Ａ１が差し渡されてく字状の形状保持が高められている。そのく字状の先端部が、支柱嵌挿部１１が変形を起こすときの支点となるコ字状の両付け根から最も距離の大きくなるコ字状の両先端部と接合されていることで、支持部形成部材４Ａが受ける応力を小さくし、支持部形成部材４Ａ及び支柱嵌挿部１１の変形の恐れを少なくできる。
【００２３】
図４は、前記支持部４の形成方法を示す説明図である。左右枠体１の支柱嵌挿部１１に取付溝１１２が刻設され、支持部形成部材４Ａに形成された嵌合部４Ａ３が取付溝１１２に嵌合されて、支持部形成部材４Ａは支柱嵌挿部１１内で上下方向に摺動可能に取り付けられる。かかる方法で予め支持部形成部材４Ａを支柱嵌挿部１１の取付溝１１２に摺動可能に取り付け、左右枠体１に上下枠体２を突き合わせてビス等により固定することで、輸送時や設置時等において上下枠体２により支持部形成部材４Ａが取付溝１１２から脱落するのを防止でき、また設置時に係止バネ５が当接する位置に応じて支持部形成部材４Ａを上下方向に移動させることができ、種々の形状又は大きさの係止バネ５に対応可能となる。
【００２４】
左右枠体１は、金属の曲げ材等を用いてもよいが、支柱嵌挿部１１や遮音板取付部１２等を有する複雑な連続した断面形状を形成する必要があることからアルミニウム、鉄鋼、ステンレス等の金属押出型材を用いるのが好ましく、軽量で強度を高くできるアルミニウム押出型材を好適に用いることができる。また支持部形成部材４Ａも同様に嵌合部４Ａ３等を有する複雑な断面形状を形成する必要があることからアルミニウム等の金属押出型材を用いるのが好ましい。また上下方向の高さｈは係止バネ５が支柱嵌挿部１１に当接する部位の上下方向の長さに応じて設定してよく、概ね１０〜１００ｍｍ程度が好適で、より好ましくは２０〜５０ｍｍ程度である。
【００２５】
図５及び図６は、本発明に係わる支持部の形成方法の、他の実施形態を示すものであり、図５において、左右枠体１と上下枠体２とは図１に示した如き形態にて固定されており、上下枠体２には遮音板３の端部が挿入される開口溝Ｍが設けられると共に、挿入された遮音板３の脱離を防止する押縁を取り付ける押縁取付溝２４が刻設されている。また上下枠体２の端部には、落下防止用を挿通する切欠き部２１が設けられている。遮音板の脱離を防止する押縁は、開口溝Ｍに遮音板３が挿入された部位に設けられるものであり、左右枠体１と当接する上下枠体２の両端付近の押縁取付溝２４は概ね何も取り付けられていない状態となっている。
【００２６】
一方の支持部形成部材４Ｂは、左右枠体１の支柱嵌挿部１１の開口部の幅と略同一の幅となされ、その幅方向の一端に、押縁取付溝２４に取り付けられた際に開口溝Ｍの開口部を塞ぐよう、取付溝４Ｂ１及び係止部４Ｂ２が設けられた断面形状となされている。また支持部４についても落下防止用の索条の挿通を妨げないように切欠き部４Ｂ３が設けられている。かかる取付溝４Ｂ１及び係止部４Ｂ２が上下枠材２の開口溝Ｍに嵌着され、左右枠体１の支柱嵌挿部１１に摺動されて嵌着されることで支持部４Ｂが設けられる。
【００２７】
図６は、支持部形成部材４Ｂが取り付けられた状態を示す遮音パネル１０の側面図であるが、切欠き部２１及び４Ｂ３に挿通された落下防止用の索条は、更に左右枠体１に取り付けられたアイボルトＥに挿通されることで遮音パネル１０の落下が防止される。取付溝４Ｂ１が押縁取付溝２４に嵌着されることで支持部形成部材４Ｂは固定されるが、更に係止部４Ｂ２により開口溝Ｍの開口部を塞ぐような形態となされことで、支持部形成部材４Ｂはより強固に固定される。かかる支持部形成部材４Ｂが左右枠体１の支柱嵌挿部１１内に位置されることで係止バネの反発力を支持部形成部材４Ｂにより支承することができる。尚、本実施形態では、支持部形成部材４Ｂは左右枠体１の上端部に設けられているが、端部から離れた部位に設けてもよい。
【００２８】
【発明の効果】
本発明によれば、左右の枠材が遮音板取付部と支柱嵌挿部とを備え、支柱嵌挿部の係止バネが当接する部位に支持部が設けられることで、支持部により係止バネの反発力が支承されることで、係止バネの反発力による支柱嵌挿部の変形が抑止され、遮音パネルのがたつきや係止バネの脱落を防止できる。
【図面の簡単な説明】
【図１】本発明に係わる遮音パネルの形成を示す説明図である。
【図２】本発明に係わる支持部の形成の、実施の一形態を示す説明図である。
【図３】本発明に係わる実施の一形態を示す、図２におけるＡ−Ａ断面図である。
【図４】図３における左右枠体への支持部の取り付けを示す説明図である。
【図５】本発明に係わる支持部の形成の、他の実施形態を示す説明図である。
【図６】本発明に係わる支持部の形成の、他の実施形態を示す側面図である。
【符号の説明】
１    左右枠体
１１  支柱嵌挿部
１１１  開口部
１１２  取付溝
１２  遮音板取付部
１３  ビス取付部
２    上下枠体
３    遮音板
４    支持部
４Ａ、４Ｂ  支持部形成部材
５    係止バネ
１０  遮音パネル
２０  支柱
２０１  フランジ
【図１】
2004285720.tif 000003
【図２】
2004285720.tif 000004
【図３】
2004285720.tif 000005
【図４】
2004285720.tif 000006
【図５】
2004285720.tif 000007
【図６】
2004285720.tif 000008